(57)【要約】【課題】ＧＰＳ機能付携帯電話と近接情報配信装置のそれぞれの特徴を生かして，これらを連携して互いに補完し合うきわめて効率の良い情報配信システムを提供する。【解決手段】図２に示す実施例のようにＧＰＳを利用して特定エリアにいる携帯電話からサーバに連絡して，その近くに設置してある近接情報配信装置の設置場所を送ってもらい，そこに移動することによって近接情報配信装置の情報を閲覧できるようにする。  近接情報配信装置を用いて，その設置場所の正確な位置情報を知ることができ，それを携帯電話を用いてサーバに送ることによって，携帯電話でもその近接情報配信装置にあるのと同じ，建物や商店の詳しい情報を入手できるようにする。【選択図】図２
2008171373.tif 000002
【特許請求の範囲】
【請求項１】
携帯電話のＧＰＳ機能を活用した特定エリア向け情報配信手法を，街角などに設置したフェリカ，ＱＲコード，ＳＰコード，赤外線などによる近接情報配信装置と連携して用いることを特徴とするシステム。
【請求項２】
前記システムにおいて，近接情報配信装置の設置場所が不明のときに，ＧＰＳ機能付き携帯電話によって自分のいる付近のエリアに設置してある近接情報配信装置の位置を取得して，その場所へ訪問することができることを特徴とする請求項１に記載のシステム。
【請求項３】
請求項１の前記システムにおいて，近接情報配信装置から直接情報を閲覧する機能と並行して，近接情報配信装置からその識別番号とサーバのＵＲＬを受け取って，混雑しているときに同じ情報を利用できることを特徴とする請求項１に記載のシステム。
【発明の詳細な説明】
【技術分野】
【０００１】  街角において携帯電話に対する情報配信にかかわる技術分野に関する。
【背景技術】
【０００２】  街頭で情報を得るときは，従来から携帯電話やＡｉｒＨによるインターネットが用いられている。そのときはホームページの検索という室内のときと同じ面倒な手法が取られていた。しかしながら，移動中にこのような面倒な操作を行うのは望ましくなく，また街角で必要な情報はその位置に対応する限定されたものであることが多い。そのためＧＰＳ（Ｇｌｏｂａｌ  Ｐｏｓｉｔｉｏｎｉｎｇ  Ｓｙｓｔｅｍ）や近接情報配信装置のような位置情報を取り扱う手法を用いて，瞬時にその位置に対応した必要な情報を入手できることが望ましい。ここで近接情報配信装置とは，フェリカ，ＱＲ（Ｑｕｉｃｋ  Ｒｅｆｅｒｅｎｃｅ）コード，ＳＰ（Ｓｐｅａｃｈ）コード，赤外線のような近傍に情報を配信する装置を称する。
【発明が解決しようとする課題】
【０００３】  ＧＰＳ機能付き携帯電話を用いると，現在自分のいる特定エリアに対応した情報を受信できる。このエリアは通常やや広めに設定されることが多く，正確な現在位置ではない。
一方，近接情報配信装置を用いると，その設置してある正確な特定位置に対応した情報を受信できる。
【０００４】  ここでは図１のように街角の特定エリアと，近接情報配信装置１や２を置いてある特定位置に対応した情報を入手する２つの手法の，それぞれの特徴を生かして連携した，互いに補完しあうきわめて利用効率のよい新たな情報配信システムを提供するものである。
【発明が解決しようとする手段】
【０００５】  ＧＰＳ機能付き携帯電話によって検出した経度・緯度の近くにある近接情報配信装置の設置位置を，その携帯電話に配信することによって携帯電話のユーザを近接情報配信装置へ案内する。また近接情報配信装置の前でサーバのＵＲＬ（Ｕｎｉｆｏｒｍ  Ｒｅｓｏｕｒｃｅ  Ｌｏｃａｔｏｒ）と，その位置情報か識別番号のみを携帯電話に取り出してサーバにある情報を取得することによって解決する。
【０００６】  携帯電話のＧＰＳ機能を活用した特定エリア向け情報配信手法を，街角などに設置したフェリカ，ＱＲコード，ＳＰコード，赤外線による近接情報配信装置と連携して用いることを特徴とするシステムによって解決する。
【０００７】  前記システムにおいて，近接情報配信装置の設置場所が不明のときに，ＧＰＳ機能付き携帯電話によって自分のいる付近のエリアに設置してある近接情報配信装置の位置を取得して，その場所へ訪問することができることを特徴とする請求項１に記載のシステムによって解決する。
【０００８】  請求項１の前記システムにおいて，近接情報配信装置から直接情報を閲覧する機能と並行して，近接情報配信装置からその識別番号とサーバのＵＲＬを受け取って，混雑しているときに同じ情報を利用できることを特徴とする請求項１に記載のシステムによって解決する。
【発明の効果】
【０００９】  本発明を実施する例を図２に示す。請求項１の発明ではＧＰＳによって携帯電話ユーザを近接情報配信装置へ誘導する効果８と，携帯電話で近接情報配信装置の位置とサーバ情報，およびそれに関連する街角情報を閲覧する効果９が実現できる。
【００１０】  請求項２の発明ではＧＰＳを利用して特定エリアにいる携帯電話からサーバに問い合わせて，その近くに設置してある近接情報配信装置の設置場所を知って，そこに移動することによって近接情報配信装置の情報を閲覧することができるようになる。この機能は近接情報配信装置の設置場所がわからないユーザに対してその位置を案内するのに適している。
【００１１】  また請求項３の発明によって，近接情報配信装置の設置してある特定位置に対応したサーバの情報を閲覧できるようになる。
近接情報配信装置を用いて，その設置場所の正確な位置情報を知ることができ，それを携帯電話を用いてサーバに送ることによって，その位置の近くにある近接情報配信装置にあるのと同じ，建物や商店の詳しい情報を入手できるようになる。この機能は近接情報配信装置が混雑しているときは特に便利である。
【発明を実施するための最良の形態】
【００１２】  近接情報配信装置は人通りの多い街角に配置し、そこに表示する情報はインターネットなどを経由して，時刻とともに更新することが望ましい。
【実施例】
【００１３】  図２に示した本発明の実施例に従って，その各部の動作を説明する。まず，本発明によって街角で配信したい情報を，情報操作装置１１によってインターネット７を経由してサーバ６に登録する。この情報はインターネット，またはジグビーやバケツリレー式の無線伝送装置１２によって，順次図３に示す近接情報配信装置２または３のバッファメモリ１５に送られる。この情報はあらかじめ設定したスケジュールに従って，制御装置１４によって情報配信板１３に送られて，配信される。【００１４】  近接情報配信装置が何処に設置してあるかわからないユーザは，携帯電話のＧＰＳ機能を利用して，自分のいる場所付近に設置してある近接情報配信装置の設置場所を入手して，そこに行くことができる。【００１５】  一方近接情報配信装置２の近くにいるユーザは，そこから配信している情報を携帯電話によって取得して閲覧するか，またはサーバ６のＵＲＬと近接情報配信装置２の位置情報か識別番号を入手して，サーバ６にその位置情報を伝えて，情報配信板１３から配信されているのと同じ情報を入手できる。
【産業上の利用可能性】
【００１６】  ＧＰＳ機能をもつ携帯電話と近接情報配信装置を互いにその特徴を生かして連携して用いることによって，街角での効率のよい情報配信を行う可能性がある。たとえば宅配業者や高層ビルの保守業者などが，ビル内の目的地に効率よく到達できるようになり，また緊急災害時における適切な避難誘導にも効果がある。
【図面の簡単な説明】
【図１】  ＧＰＳで指定した特定エリア付近にある近接情報配信装置を示した構成図である。
【図２】  ＧＰＳと近接情報配信装置を連携した本発明を実施する例を示した構成図である。
【図３】  近接情報配信装置の内部構造の概要である。
【図４】  サーバ内のデータ構造である。
【符号の説明】
１  街角の特定エリア
２  近接情報配信装置１
３  近接情報配信装置２
４  携帯電話１
５  携帯電話２
６  サーバ
７  インターネット
８  近接情報配信装置へ誘導する効果
９  近接情報配信装置の位置とサーバ情報，およびそれに関連する街角情報を閲覧する効果
１０  人工衛星
１１  情報操作装置
１２  無線伝送装置
１３  情報配信板
１４  制御装置
１５  バッファメモリ
１６  特定エリアの情報１
１７  特定エリアの情報２
１８  特定の近接情報配信装置で表示する情報
【図１】
2008171373.tif 000003
【図２】
2008171373.tif 000004
【図３】
2008171373.tif 000005
【図４】
2008171373.tif 000006